(57)【特許請求の範囲】
【請求項１】
履いた人の足の踵骨の幅が最も狭くなる踵骨最狭点を挟む履き口の内最狭点及び外最狭点を、前記履き口に沿って踵側を回って結ぶ２本の締付ベルトを設けてなり、
一方の締付ベルトは、内最狭点から履き口に沿って爪先側から踵側を一回りさせて前記踵側から内最狭点に突出する他端と、前記爪先側から内最狭点に突出する一端との接続位置を調整自在とし、
他方の締付ベルトは、外最狭点から履き口に沿って爪先側から踵側を一回りさせて前記踵側から外最狭点に突出する他端と、前記爪先側から外最狭点に突出する一端との接続位置を調整自在とした靴。
【請求項２】
締付ベルトは、履き口の踵側から足長の16％〜20％の位置である踵骨最狭点から前記足長に直交して延びる線と履き口との交点である内最狭点及び外最狭点を、前記履き口に沿って踵側を回って結ぶ請求項１記載の靴。
【請求項３】
締付ベルトは、延在方向に並んだ複数のループを一端に設け、他端に設けたフックを前記ループから選択して係合することにより、一端に接続する他端の接続位置を調整自在とした請求項１又は２いずれか記載の靴。
【請求項４】
締付ベルトは、延在方向に長い面ファスナーの一方を一端に設け、他端に設けた面ファスナーの他方をずらして前記面ファスナーの一方に係合することにより、一端に接続する他端の接続位置を調整自在とした請求項１又は２いずれか記載の靴。
【請求項５】
締付ベルトは、履き口に沿って設けた筒体内に挿通し、接続及び分離する一端及び他端のみを外部に露出して、前記露出部分を隠す開閉自在なカバーを設けた請求項１〜４いずれか記載の靴。
【発明の詳細な説明】
【技術分野】
【０００１】
本発明は、履き口の踵側を締め付けることのできる靴に関する。
【背景技術】
【０００２】
靴は、少なくとも足を挿入する履き口を開口していなければならないが、前記履き口が広すぎると脱げやすくなる問題がある。この点、男性用の靴（紳士靴等）は履き口の大きさが限定されているが、女性用の靴（ハイヒールやパンプス等）は、見映えを考慮して履き口の広いものが多く、脱げやすくなる問題が発生しやすい。そこで、女性用の靴は、足の甲が見える程度で履き口を横断する係止ベルトを設けたり、履き口を締める締付ベルト（係止紐）を設けたりして、靴を脱ぐ又は履く際には履き口を広くし、履いた後には履き口を締めて脱げにくくする構造が採用される（特許文献１）。
【０００３】
特許文献１は、履き口の両側部を連結して足甲部を押圧可能な係止ベルトと、履き口の縁部を折り返して袋体を形成し、前記袋体に挿通する締付ベルトとを設けた靴（ハイヒール）である。締付ベルトは、両端を締結させる位置を調整して、履き口を締め付ける（特許文献１・［0012］［0014］［0018］［0021］）。締付ベルトは、履き口に沿って掛け回され、履き口の爪先側で結ばれることにより、履き口を縮めて足に締め付ける（特許文献１・［図１］ほか）。締付ベルトの素材や伸縮性の有無は触れられていない。
【先行技術文献】
【特許文献】
【０００４】
【特許文献１】特開2010-057648号公報
【発明の概要】
【発明が解決しようとする課題】
【０００５】
特許文献１が開示する係止ベルト及び締付ベルトの組み合わせは、履き口の広い女性用の靴を脱げなくする点で好ましい。しかし、係止ベルトは、広い履き口を靴のデザインとして構成した場合、見映えを損なうことにもなりかねないから、どのような靴にも利用できるとは限らない。また、履き口に沿って掛け回され、前記履き口の爪先側で結ばれる締付ベルトは、主に履き口の爪先側が足に締め付けられる。靴が脱げる場合、特に踵側が履き口から外れることから、特許文献１が開示する締付ベルトは、必ずしも履き口を足に締め付ける手段として好ましくないことが分かる。
【０００６】
既述したように、靴が脱げる場合、特に踵側が履き口から外れることが多い。これから、締付ベルトは、履き口の爪先側より踵側を締め付けることが望ましい。この場合、履き口の踵側をどの範囲で締め付けるかにもよるが、係止ベルトを省略できると考えられる。また、締付ベルトを履き口の踵側で締め付ける構成は、具体的な締め付け方により、靴を履く作業の負担が大きくなりかねない。そこで、係止ベルトを省略しながら、締付ベルトのみで広い履き口を締め付けて、脱げにくくした靴を開発するため、検討した。
【課題を解決するための手段】
【０００７】
検討の結果開発したものが、履いた人の足の踵骨の幅が最も狭くなる踵骨最狭点を挟む履き口の内最狭点及び外最狭点を、前記履き口に沿って踵側を回って結ぶ２本の締付ベルトを設けてなり、一方の締付ベルトは、内最狭点から履き口に沿って爪先側から踵側を一回りさせて前記踵側から内最狭点に突出する他端と、前記爪先側から内最狭点に突出する一端との接続位置を調整自在とし、他方の締付ベルトは、外最狭点から履き口に沿って爪先側から踵側を一回りさせて前記踵側から外最狭点に突出する他端と、前記爪先側から外最狭点に突出する一端との接続位置を調整自在とした靴である。踵骨は、踵骨最狭点から後方に向かって広がっている。このため、前記踵骨最狭点を挟む履き口の内最狭点及び外最狭点を、前記履き口に沿って踵側を回って締付ベルトで結ぶことにより、履き口の踵側が履いた人の踵に対して締め付けられ、前記履き口の踵側が踵骨に引っかかるようになり、靴が脱げにくくなる。
【０００８】
締付ベルトは、踵側を回って内最狭点及び外最狭点を結ぶ履き口の周長より短ければ、非伸縮性素材で構成されていても、履き口の踵側を締め付けることができる。しかし、靴を履いたり、脱いだりする際に履き口が拡げることができるように、締付ベルトは、伸縮性素材で構成される方が好ましい。この場合、後述するように、締付ベルトの一端及び他端の接続位置を調整できるようにすると、結果として締付ベルトの締付の程度や履き口を拡げる程度を調整できるようになる。
【０００９】
具体的には、締付ベルトは、履き口の踵側から足長の16％〜20％の位置である踵骨最狭点から前記足長に直交して延びる線と履き口との交点である内最狭点及び外最狭点を、前記履き口に沿って踵側を回って結ぶようにする。踵骨最狭点は、男女や年齢によっても異なるが、統計学上、履き口の踵側から足長の16％〜20％の位置に収まることが分かっている。これから、本発明の靴は、内最狭点及び外最狭点を、履き口の踵側から足長の16％〜20％の位置から前記足長に直交して延びる線と履き口との交点と定め、締付ベルトが前記内最狭点及び外最狭点を履き口に沿って踵側を回って結ぶ構成にする。
【００１０】
締付ベルトは、履き口に沿って踵側を回り、内最狭点及び外最狭点を結んでいれば、履き口の全周にわたって延びていてもよいので、内最狭点から履き口に沿って爪先側から踵側を一回りさせて前記踵側から内最狭点に突出する他端と、前記爪先側から内最狭点に突出する一端との接続位置を調整自在にしたり、締付ベルトは、外最狭点から履き口に沿って爪先側から踵側を一回りさせて前記踵側から外最狭点に突出する他端と、前記爪先側から外最狭点に突出する一端との接続位置を調整自在にしたりする。
【００１１】
内最狭点で一端及び他端を接続する締付ベルトは、踵側に回して来た他端の一端に対する接続位置を調整することにより、履き口の踵側を締め付ける。同様に、外最狭点で一端及び他端を接続する締付ベルトも、踵側に回して来た他端の一端に対する接続位置を調整することにより、履き口の踵側を締め付ける。両者は、それぞれ単独又は併用して利用しうる。併用した場合、内最狭点で他端の一端に対する接続位置を調整する締付ベルトは、特に履き口の内最狭点から踵側の間を締め付け、また外最狭点で他端の一端に対する接続位置を調整する締付ベルトは、特に履き口の外最狭点から踵側の間を締め付ける。
【００１２】
具体的な締付ベルトは、延在方向に並んだ複数のループを一端に設け、他端に設けたフックを前記ループから選択して係合することにより、一端に接続する他端の接続位置を調整自在としたしたり、延在方向に長い面ファスナーの一方を一端に設け、他端に設けた面ファスナーの他方をずらして前記面ファスナーの一方に係合することにより、一端に接続する他端の接続位置を調整自在としたりする。ループ及びフックの組み合わせは、一端及び他端の接続が強固で、伸縮性素材の締付ベルトが伸びて復元力（弾性力）を発生させても、一端及び他端を外さない。また、面ファスナーを用いた場合、一端及び他端の接続位置を連続的に調整可能とし、締付ベルトによる履き口の締付具合を連続的に調整できるようにする。
【００１３】
一端に他端を接続及び分離する締付ベルトは、履き口に沿って全体を露出させてもよいが、履き口に沿って設けた筒体内に挿通し、接続及び分離する一端及び他端のみを外部に露出して、前記露出部分を隠す開閉自在なカバーを設けるとよい。筒体は、履き口を沿って縫着して甲皮と一体に形成してもよいし、履き口に沿って別体の筒体を取り付けてもよい。こうした筒体は、締付ベルトの全部又は一部を挿通させながら、接続及び分離する一端及び他端を露出させる。前記一端及び他端は、開閉自在なカバーで閉じて隠し、前記カバーを開いて接続又は分離や接続位置を調整する。締付ベルトが内最狭点から爪先側、踵側を一回りさせる構成と、外最狭点から爪先側、踵側を一回りさせる構成の２本あれば、カバーもそれぞれに１つずつ割り当てられる。
【発明の効果】
【００１４】
本発明の靴は、踵骨最狭点を挟む履き口の内最狭点及び外最狭点（履き口の踵側から足長の16％〜20％の位置から前記足長に直交して延びる線と履き口との交点）を、前記履き口に沿って踵側を回って結ぶ締付ベルトを締め付けることにより、係止ベルトを省略しても、人の踵に履き口の踵側を係合させることにより、脱げにくくする効果を有する。この効果は、特に履き口の広い女性用の靴、パンプスやハイヒールに好ましく、履き口を広くして足下を奇麗に見せるパンプスやハイヒールの提供を可能にする。
【００１５】
内最狭点又は外最狭点で一端及び他端を接続する締付ベルトは、履き口を一回りして前記履き口を全周で締め付けるほか、踵側を回って来る他端を一端に接続することから、特に履き口の踵側を締め付けて、靴を脱げにくくする。そして、内最狭点又は外最狭点で一端及び他端を接続する締付ベルトを併用すれば、二重の締付ベルトが履き口の形状保持の働きを強くし、特に履き口の踵側の締め付けを強くて、靴を脱げにくくする効果を高めることができる。
【００１６】
また、内最狭点又は外最狭点で一端及び他端を接続する締付ベルトを併用すれば、履き口の内側を強く締め付けてO脚（足の内側が浮きやすい）の脱げ防止の効果を、また履き口の外側を強く締め付けてX脚（足の外側が浮きやすい）の脱げ防止の効果を得ることができる。ループ及びフックの組み合わせやメンファスナーを利用した一端及び他端の接続位置の調整手段は、靴を履いた人毎に履き口の締付を調整する働きのほか、履き口の内側又は外側に締め付けに相対差を形成して、前記O脚又はX脚の脱げ防止を図りやすくする利点がある。
【００１７】
本発明の靴に用いる締付ベルトは、全部又はほとんどを露出させて靴のデザインの一部にすることもできるが、履き口に沿って設けた筒体内に挿通し、接続及び分離する一端及び他端のみを外部に露出して、前記露出部分を隠す開閉自在なカバーを設けることにより、全部又はほとんどを隠しながら、靴本来のデザインを損ねずに本発明の効果（靴の脱げ防止）を享受できる。筒体は、締付ベルトの全体又はほとんどを外界から保護しながら、履き口に沿って掛け回す位置を保持する働きがある。カバーは、締付ベルトの一端及び他端の接続位置を外界から保護しながら、一端及び他端の接続位置を特定する働き（締付ベルトの締め付け具合を調整する場所を教える働き）がある。
【図面の簡単な説明】
【００１８】
【図１】本発明を適用した左足の靴を内側斜め後方から見た斜視図である。
【図２】本例の靴を外側斜め前方から見た斜視図である。
【図３】本例の靴の平面図である。
【図４】差込カバーを開いた状態を表す本例の靴を外側から見た斜視図である。
【図５】図４中Ａ−Ａ端面図である。
【図６】脱着カバーを開いた別例の靴を内側から見た斜視図である。
【発明を実施するための形態】
【００１９】
以下、本発明を実施するための形態について図を参照しながら説明する。本発明は、図１〜図３に見られるように、例えば女性用の靴（プレーンパンプス）１に適用される。女性が履く靴は、足の甲が広く見えるように、履き口11が広く開いているものが多く、発揮安くなっているものの、逆に脱げやすくなっており、脱げにくくする本発明が特に好適に利用される。しかし、本発明の適用の是非は、履き口11の大小に左右されないため、図示を省略するが、男性用の靴（革靴）やその他スポーツシューズにも利用される。
【００２０】
本発明の靴１は、履いた人の足の踵骨（図示略）の幅が最も狭くなる踵骨最狭点CNを挟む履き口11の内最狭点111及び外最狭点112を、前記履き口11に沿って踵12側を回って結ぶ内側締付ベルト14及び外側締付ベルト15を設けている（図３参照）。本例の靴１は、履き口11の全周を締め付けながら、特に内最狭点111及び外最狭点112を結ぶ履き口11の踵12側が締め付けられるように、内側締付ベルト14及び外側締付ベルト15の２本（図５参照）とし、踵12側を回して来た内側他端143及び外側他端153を爪先13側から延びる内側一端142及び外側一端143に接続又は分離させる。
【００２１】
内側締付ベルト14は、履き口11の全周長に等しい長さの非伸縮性素材からなる内側ベルト本体141と、周回方向にずれた３個のループを設けた内側一端142と、前記ループに係合する内側他端143とから構成される（ループ及びフックは、後述する外側一端152及び外側他端153、図４参照）。ループ及びフックは、後述する外側締付ベルト15同様、いずれも針金を曲げて構成され、それぞれ内側一端又は内側他端に直接縫着されるか、前記内側一端又は内側他端に接続された取付片に縫着される。
【００２２】
本例の内側締付ベルト14は、縫着により形成される筒体116に挿通され、内最狭点111に設けられたスリットから取り出した内側一端142及び内側他端143のループ及びフックを露出させ、前記ループ及びフックを差込カバー113で隠している。差し込みカバー113は、履き口11に沿った直線状の上縁と、横長の楕円形の外周縁に倣った下縁とに囲まれ、前記下縁の中央から凸部を突出させた布片で、下方に向けて下ろした凸部を靴１の側面に設けた差込ベルト114に差し込んで閉じた状態を維持し、前記差込ベルト114から凸部を引き抜いて上方に持ち上げ、開いた状態（図５参照）にする。
【００２３】
外側締付ベルト15は、上述した内側締付ベルト14同様、履き口11の全周長に等しい長さの非伸縮性素材からなる外側ベルト本体151と、周回方向にずれた３個のループ154,154,154を設けた外側一端152と、前記ループ154のいずれかに係合する外側他端153とから構成される。ループ154及びフック155は、いずれも針金を曲げて構成され、それぞれ外側一端152又は外側他端153に直接縫着されるか、前記外側一端152又は外側他端153に接続された取付片に縫着される。
【００２４】
本例の外側締付ベルト15は、上述した内側締付ベルト14同様、縫着により形成される筒体116に挿通され、外最狭点112に設けられたスリットから取り出した外側一端152及び外側他端153のループ154及びフック155を露出させ、前記ループ154及びフック155を差込カバー113,113で隠している。差し込みカバー113は、履き口11に沿った直線状の上縁と、横長の楕円形の外周縁に倣った下縁とに囲まれ、前記下縁の中央から凸部を突出させた布片で、下方に向けて下ろした凸部を靴１の側面に設けた差込ベルト114に差し込んで閉じた状態を維持し、前記差込ベルト114から凸部を引き抜いて上方に持ち上げ、開いた状態（図５参照）にする。
【００２５】
内締付ベルト14は、図３に見られるように、履き口11の踵12側から足長Ｌの16％〜20％の位置にある踵骨最狭点CNから前記足長Ｌに直交して延びる線と履き口11との交点である内最狭点111で内側一端142及び内側他端143を接続できるように、内側一端142を爪先13側から踵12側に向けて突出させ、また内側他端143を踵12側から爪先13側に向けて突出させ、位置固定された内側一端142のループから選択して内側他端143のフックを係合し、主に履き口11の踵12側が締め付けられるようにしている。
【００２６】
同様に、外締付ベルト15は、上記踵骨最狭点CNから足長Ｌに直交して延びる線と履き口11との交点である外最狭点112で外側一端152及び外側他端153を接続できるように、外側一端152を爪先13側から踵12側に向けて突出させ、また外側他端153を踵12側から爪先13側に向けて突出させ、位置固定された外側一端152のループ154,154,154から選択して外側他端153のフック155を係合し、主に履き口11の踵12側が締め付けられるようにしている。
【００２７】
このように、履き口11の全周にわたって掛け回された内側締付ベルト14及び外側締付ベルト15は、それぞれ履き口11の全周を締め付けるが、前記締付は履き口11の全周にわたって一様ではなく、特に内側一端142又は外側一端152に対する接続位置を調整する内側他端143及び外側他端153を掛け回す踵12側が強く締め付けられる（図３中、内側他端143及び外側他端153の掛け回し方向を矢印図示）。これにより、両者が重なる内最狭点111及び外最狭点112を結ぶ履き口11の踵12側が履く人の足、特に踵を締め付け、履き口11の踵12側が人の踵に引っかかるようになる。この結果、本例の靴１が脱げにくくなる。
【００２８】
また、本例のように内側締付ベルト14及び外側締付ベルト15の２本を採用すると、内側締付ベルト14の内側他端143を引っ張って履き口11の内側を強く締め付け、逆に外側締付ベルト15の外側他端153を緩めて履き口11の外側を弱く締め付けることで、特にO脚（足の内側が浮きやすい）の脱げ防止を図ることができる。逆に、内側締付ベルト14の内側他端143を緩めて履き口11の内側を弱く締め付け、逆に外側締付ベルト15の外側他端153を引っ張って履き口11の外側を強く締め付けることで、特にＸ脚（足の外側が浮きやすい）の脱げ防止を図ることができる。
【００２９】
本例の外側締付ベルト15（内側締付ベルト14も同様。以下、外側締付ベルト15で説明）は、ループ154及びフック155の組み合わせにより、段階的に接続位置を調整し、差込カバー114を被せて前記ループ154及びフック155に隠している。ループ154及びフック155の組み合わせは、接続が強固で外れにくく、また差込ベルト114に凸部を差し込む差込カバー113は、不用意に浮き上がらず、前記ループ154及びフック155の接続が外れないように押さえつける働きも有する。しかし、ループ154及びフック155の組み合わせは、接続位置の細かな調整ができない。こうした場合、接続位置の調整に面ファスナーを利用する。
【００３０】
別例の内側締付ベルト14（内側締付ベルト15も同様。以下、内側締付ベルト14で説明）は、図６に見られるように、履き口11の全周長に等しい長さの伸縮性素材からなる内側ベルト本体141と、幅広な正面視長方形の面ファスナーの雌面144を接続した内側一端142と、狭幅な正正面視長方形の面ファスナーの雄面145を接続した内側他端143とから構成される。内側他端143は、内側一端142に接続された面ファスナーの雌面144のいずれかに面ファスナーの雄面145を係合させればよく、接続位置の連続的な細かな調整ができる。
【００３１】
面ファスナーの雌面144及び雄面145の割り当ては、内側一端142又は内側他端143のいずれでもよい。しかし、接続位置の調整代を大きくするには、位置固定される内側一端142に接続する面ファスナーの部分が大きいほど好ましいところ、面ファスナーの雄面145が大きすぎると、周囲と不要に係合してしまう虞がある。そこで、内側一端142に広幅な正面視長方形の面ファスナーの雌面144を割り当て、内側他端143に狭幅な正面視長方形の面ファスナーの雄面145を割り当てる方が好ましい。
【００３２】
接続位置の調整を面ファスナーで実現した場合、前記面ファスナーの雌面144及び雄面145を隠すため、本例同様の差込カバー113（図４参照）を利用してもよい。別例の靴１は、位置固定された内側一端142に接続された面ファスナーの雌面144に係合する雄面を内側に設けた脱着カバー115を設け、前記雌面144に係合した面ファスナーの雄面145を除く残余に前記脱着カバー115を係合するようにしてもよい。この場合、面ファスナーの雌面144は、面ファスナーの雄面145より十分大きくしておくことで、脱着カバー115も確実に係合できる。
【符号の説明】
【００３３】
１  靴
11  履き口
12  踵
13  爪先
14  内側締付ベルト
15  外側締付ベルト
Ｌ  足長
CN  踵骨最狭点
【要約】
【課題】履き口を横断する係止ベルトを省略しながら、締付ベルトのみで広い履き口を締め付けて、脱げにくくした靴を提供する。
【解決手段】履き口11の踵側から足長Ｌの16％〜20％の位置で、履いた人の足の踵骨の幅が最も狭くなる踵骨最狭点CNから前記足長Ｌに直交して延びる線と履き口11との交点である内最狭点111及び外最狭点112を、前記履き口11に沿って踵12側を回って結ぶ内側締付ベルト14及び外側締付ベルト15を設けた靴１である。
【選択図】図１【図１】
0005548297.tif 000002
【図２】
0005548297.tif 000003
【図３】
0005548297.tif 000004
【図４】
0005548297.tif 000005
【図５】
0005548297.tif 000006
【図６】
0005548297.tif 000007